(57)【特許請求の範囲】
【請求項１】
間隔を空けて建具の幅方向に並ぶ第１及び第２パネル体と、該第１及び第２パネル体に架け渡された透光部材とを備え、前後方向に光を透過させる建具の採光構造であって、
上記第１パネル体は、上記第２パネル体との対向面に上端から下端に亘る凹溝が形成され、
上記第２パネル体は、
上記幅方向において上記第１パネル体に対向する一端に近づく程前後方向の中央に近づくように上記幅方向に対して傾斜した前面及び後面を有し、上記凹溝内に収容される先端部分と、
上記先端部分の他端に連続し、上記幅方向において上記先端部分の他端に連続する一端に近づく程前後方向の中央に近づくように上記幅方向に対して上記先端部分の前面及び後面よりも緩やかな傾斜角度で傾斜した前面及び後面を有する傾斜部分とを有している
ことを特徴とする採光構造。
【請求項２】
請求項１に記載の採光構造において、
上記傾斜部分は、上記先端部分よりも上記幅方向の長さが長い
ことを特徴とする採光構造。
【請求項３】
請求項１又は２に記載の採光構造において、
上記凹溝は、上記幅方向において溝底に近づく程溝幅が狭くなるように上記幅方向に対して傾斜した前側内側面及び後側内側面を有し、
上記傾斜部分は、前面が上記幅方向に対して上記凹溝の前側内側面よりも緩やかな傾斜角度で傾斜し、後面が上記幅方向に対して上記凹溝の後側内側面よりも緩やかな傾斜角度で傾斜し、
上記先端部分は、前面が上記幅方向に対して上記凹溝の前側内側面よりも急な傾斜角度で傾斜し、後面が上記幅方向に対して上記凹溝の後側内側面よりも急な傾斜角度で傾斜している
ことを特徴とする採光構造。
【請求項４】
請求項１〜３のいずれか１つに記載の採光構造において、
上記透光部材の上記先端部分と上記凹溝の底部との間の部分には、上下方向に延びる空洞が形成されている
ことを特徴とする採光構造。
【請求項５】
請求項１〜４のいずれか１つに記載の採光構造を備えた建具。
【発明の詳細な説明】
【技術分野】
【０００１】
本発明は、建具の採光構造及び採光構造を備えた建具に関するものである。
【背景技術】
【０００２】
従来、扉等の建具の中には、建具で仕切られる一方側の空間から他方側の空間へ（例えば、室内から廊下等へ）光を透過させるために採光構造を備えるものがある（例えば、下記の特許文献１を参照）。
【０００３】
特許文献１の図１２Ａには、左右に間隔を空けて配置された２つのパネル間の開口に板状の透光部材を設け、前後方向の一方側から他方側へ光が透過するように構成されたドアが開示されている。上記ドアでは、２つのパネルの開口側端部の一方を開口に向かって突出する凸部、他方を開口とは逆側に凹む凹溝に形成し、凸部の先端を凹溝内に挿入することにより、採光は可能にするものの、ドアに対峙した人が開口を介してドアの反対側を視認することができないようにしている。
【先行技術文献】
【特許文献】
【０００４】
【特許文献１】特開２０２０−２３７９９号公報
【発明の概要】
【発明が解決しようとする課題】
【０００５】
しかしながら、上記ドアの採光構造では、２つのパネルの対向面が互いに平行なＶ字形状に形成されている。そのため、ドアの開口付近を斜めから覗き込むと、凹溝の底部まで視線が通るため、透光部材が見えてしまい、外観の美観を損なう虞があった。また、上記採光構造では、凸部の前後面が幅方向に対して比較的大きな傾斜角度で傾斜するものであるため、パネルの扁平な本体部に連続する凸部の基端部分は角張っている。また、上記採光構造では、凹溝には凸部の先端のみが挿入され、角張った凸部の基端部分は露出している。そのため、上記採光構造では、光を透過させる際に、凸部の角張った基端部分によってドアの前後面に影が差し、外観の美観を損なう虞があった。
【０００６】
本発明は斯かる点に鑑みてなされたもので、その目的は、建具の美観を損なわない見栄えのよい採光構造及び採光構造を備えた見栄えのよい建具を提供することにある。
【課題を解決するための手段】
【０００７】
上記の目的を達成するために、本発明では、第２パネル体の先端部分を、幅方向において第１パネル体に近づく程前後方向の幅が狭くなる先細り形状とし、先端部分の基端側に先端部分よりも緩やかに先細る傾斜部分を連続させることにより、先端部分が第１パネル体の凹溝内に収容されるように構成した。
【０００８】
具体的には、第１の発明は、間隔を空けて建具の幅方向に並ぶ第１及び第２パネル体と、該第１及び第２パネル体に架け渡された透光部材とを備え、前後方向に光を透過させる建具の採光構造を前提とするものである。
【０００９】
そして、第１の発明は、上記第１パネル体は、上記第２パネル体との対向面に上端から下端に亘る凹溝が形成され、上記第２パネル体は、上記幅方向において上記第１パネル体に対向する一端に近づく程前後方向の中央に近づくように上記幅方向に対して傾斜した前面及び後面を有し、上記凹溝内に収容される先端部分と、上記先端部分の他端に連続し、上記幅方向において上記先端部分の他端に連続する一端に近づく程前後方向の中央に近づくように上記幅方向に対して上記先端部分の前面及び後面よりも緩やかな傾斜角度で傾斜した前面及び後面を有する傾斜部分とを有していることを特徴とするものである。
【００１０】
第１の発明では、第２パネル体に、第１パネル体の凹溝に収容される先細り形状の先端部分に連続し、該先端部分の前後面よりも幅方向に対して緩やかな傾斜角度で傾斜した前後面を有して緩やかに先細る傾斜部分を設けることとしている。このように、第２パネル体に先端部分よりも緩やかに先細る傾斜部分を設けることにより、第１及び第２パネル体の間を斜めから覗き込んでも、第２パネル体の先端（先端部分の先端）が見え難くなり、第１及び第２パネル体に架け渡された透光部材が見え難くなる。よって、第１の発明によれば、従来の採光構造よりも外観の意匠性を向上させることができる。
【００１１】
また、第１の発明では、従来の採光構造のように、幅方向に対して急な傾斜角度で傾斜した前後面を有する先端部分を第２パネル体の扁平な本体部に連続させるのではなく、幅方向に対して先端部分の前後面よりも緩やかな傾斜角度で傾斜する前後面を有する傾斜部分を先端部分に連続させることとしている。このように先端部分の他端に先細り形状の傾斜部分を設けることにより、先端部分全体を凹溝内に収容することが可能になり、先端部分と傾斜部分との角張った接続部分が正面から見えなくなる。従って、第１の発明によれば、従来の採光構造のように、第２パネル体の先端部分の角張った基端部分が見えず、幅方向に対して緩やかに傾斜する前後面を有する傾斜部分によって建具の前後面が段差のない平らな形状に見え、従来の採光構造よりも外観の意匠性を向上させることができる。
【００１２】
以上により、第１の発明によれば、建具の美観を損なうことのない見栄えのよい採光構造を提供することができる。
【００１３】
第２の発明は、第１の発明において、上記傾斜部分は、上記先端部分よりも上記幅方向の長さが長いことを特徴とするものである。
【００１４】
第２の発明では、傾斜部分を先端部分よりも幅広に形成して光を取り込む開口の幅を広くすることにより、効率よく光を取り込むができる。また、傾斜部分を幅広に形成することにより、傾斜部分の前後面の幅方向に対する傾斜角度がより緩やかになるため、建具の前後面がより段差のない平らな形状に見える。つまり、第２の発明によれば、外観の意匠性をより向上させることができる。
【００１５】
第３の発明は、第１又は第２の発明において、上記凹溝は、上記幅方向において溝底に近づく程溝幅が狭くなるように上記幅方向に対して傾斜した前側内側面及び後側内側面を有し、上記傾斜部分は、前面が上記幅方向に対して上記凹溝の前側内側面よりも緩やかな傾斜角度で傾斜し、後面が上記幅方向に対して上記凹溝の後側内側面よりも緩やかな傾斜角度で傾斜し、上記先端部分は、前面が上記幅方向に対して上記凹溝の前側内側面よりも急な傾斜角度で傾斜し、後面が上記幅方向に対して上記凹溝の後側内側面よりも急な傾斜角度で傾斜していることを特徴とするものである。
【００１６】
第３の発明では、凹溝が溝底に近づく程溝幅が狭くなる先細り形状に形成され、傾斜部分の前後面が、幅方向に対して凹溝の対応する内側面よりも緩やかな傾斜角度で傾斜するように形成されている。このように傾斜部分の前後面を、凹溝の内側面よりも緩やかな傾斜角度で幅方向に対して傾斜させることにより、第１及び第２パネル体の間を斜めから覗き込んだ際に、凹溝の底部が見えなくなり、第１及び第２パネル体に架け渡された透光部材がより見え難くなる。よって、第３の発明によれば、外観の意匠性をより向上させることができる。
【００１７】
また、第３の発明では、先端部分の前後面が、幅方向に対して凹溝の対応する内側面よりも急な傾斜角度で傾斜するように形成されている。このように先端部分の前後面を、凹溝の内側面よりも急な傾斜角度で幅方向に対して傾斜させることにより、先端部分の幅を凹溝の深さよりも短く形成することができる。よって、凹溝を従来よりも深くすることなく、凹溝内に透光部材の設置スペースを確保しつつ、先端部分全体が凹溝内に収容されるように第２パネル体を配置することが可能になる。従って、第３の発明によれば、凹溝を従来よりも深くすることなく、第２パネル体の先端部分の角張った基端部分が見えない見栄えのよい採光構造を提供することができる。
【００１８】
第４の発明は、第１〜第３のいずれか１つの発明において、上記透光部材の上記先端部分と上記凹溝の底部との間の部分には、上下方向に延びる空洞が形成されていることを特徴とするものである。
【００１９】
第４の発明では、透光部材の先端部分と凹溝の底部との間の部分が、中空に形成されている。透光部材をこのように形成することにより、透光部材の材料を軽減することができるため、製造コストを低減することができる。また、透光部材に形成された空洞により、透光部材を透過する光が集束、拡散され、効率よく光を透過させることができる。
【００２０】
第５の発明は、第１〜第４のいずれか１つの発明に係る採光構造を備えた建具である。
【００２１】
第５の発明によれば、建具の美観を損なうことのない見栄えのよい採光構造を備えた建具を提供することができる。
【発明の効果】
【００２２】
以上説明した如く、本発明によると、第２パネル体の先端部分を、幅方向において第１パネル体に近づく程前後方向の幅が狭くなる先細り形状とし、先端部分の基端側に先端部分よりも緩やかに先細る傾斜部分を連続させることにより、先端部分が第１パネル体の凹溝内に収容されるように構成したため、建具の美観を損なわない見栄えのよい採光構造及びそのような採光構造を備えた建具を提供することができる。
【図面の簡単な説明】
【００２３】
【図１】図１は、本発明の実施形態１のドアの正面図である。
【図２】図２は、図１のII−II線断面図である。
【図３】図３は、本発明の実施形態２の採光構造を拡大して示す横断面図である。
【発明を実施するための形態】
【００２４】
以下、本発明の実施形態を図面に基づいて詳細に説明する。以下の実施形態の説明は、本質的に例示に過ぎず、本発明、その適用物或いはその用途を制限することを意図するものでは全くない。
【００２５】
以下では、本発明に係る採光構造を備えた建具の一例として、採光構造を備えたドアについて説明する。
【００２６】
《発明の実施形態１》
図１に示すように、ドア（建具）１は、建物の例えば間仕切り壁等の開口部に施工される。以下では、説明の便宜上、ドア１によって仕切られる２つの空間の一方側（図１の紙面直行方向の手前側）を「前」、他方側（図１の紙面に直行する方向の奥側）を「後」、図１に示すドア１を前側から見たときの上側、下側、左側、右側を、それぞれ「上」、「下」、「左」、「右」として説明する。また、「幅方向」とは、ドア１の幅方向（左右方向）を意味する。
【００２７】
−ドアの概略構成−
図１に示すように、ドア１は、幅方向に間を空けて設けられた矩形状の第１パネル１０及び第２パネル２０を備えている。
【００２８】
図２に示すように、第１パネル１０及び第２パネル２０は、複数の角材を矩形枠状に組み立てた芯材２と、枠状の芯材２の外面を覆う化粧材３とを有している。第１パネル１０及び第２パネル２０は、芯材２と化粧材３とによって中空の所謂フラッシュパネルに構成されている。また、本実施形態１では、第１パネル１０及び第２パネル２０は、芯材２と化粧材３とが木質材料で形成される木質パネルである。
【００２９】
図１に示すように、左側の第１パネル１０には、上下方向の中程の部分に取手４が取り付けられている。図２に示すように、第２パネル２０は、第１パネル１０の右側に間隔を空けて、前面２０ａ及び後面２０ｂが、それぞれ第１パネル１０の前面１０ａ及び後面１０ｂと面一になるように設けられている。
【００３０】
第１パネル１０及び第２パネル２０の間には、後述する採光構造５の透光部材３０が架け渡されている。また、本実施形態１では、第１パネル１０及び第２パネル２０は、上端面及び下端面にそれぞれ固定された連結部材６によって連結されている。連結部材６は、本実施形態１では、アングルによって構成されている。なお、第１パネル１０及び第２パネル２０は、両パネル１０，２０に架け渡される透光部材３０が両パネル１０，２０に接着剤７を介して接着されることによっても固定されている。
【００３１】
−採光構造の構成−
図２に示すように、ドア１は、採光構造５を備えている。採光構造５は、ドア１の一部である第１パネル１０及び第２パネル２０と、第１パネル１０及び第２パネル２０に架け渡された透光部材３０とを備えている。
【００３２】
第１パネル１０の第２パネル２０との対向端面である右側面（芯材２の右端面）には、幅方向において第２パネル２０とは反対側（左側）に凹む凹溝１１が形成されている。凹溝１１は、第１パネル１０の上端から下端に亘って延びている。凹溝１１は、幅方向において溝底に近づく程溝幅（前後方向の幅）が狭くなるように幅方向に対して傾斜した前側内側面１１ａ及び後側内側面１１ｂを有し、Ｖ字形状の横断面を有している。凹溝１１の前側内側面１１ａ及び後側内側面１１ｂは、幅方向に対して２０〜４０度の角度で傾斜している。
【００３３】
また、第１パネル１０（芯材２）の凹溝１１の溝底部分には、幅方向において第２パネル２０とは反対側（左側）にさらに凹む嵌合溝１２が形成されている。嵌合溝１２は、第１パネル１０の上端から下端に亘って延びている。嵌合溝１２は、矩形状の横断面を有している。
【００３４】
第２パネル２０は、先端部分２１と、傾斜部分２２と、本体部分２３とを有している。先端部分２１と傾斜部分２２と本体部分２３とは、左側から右側へ幅方向に連続して形成されている。
【００３５】
先端部分２１は、第２パネル２０の第１パネル１０に対向する一端（左端）側の端縁部分であり、幅方向において一端に近づく程前後方向の幅が狭くなる（厚さが薄くなる）先細り形状に形成されている。具体的には、先端部分２１は、幅方向において一端に近づく程前後方向の中央に近づくように幅方向に対して傾斜した前面２１ａ及び後面２１ｂを有し、先細り形状に形成されている。先端部分２１は、先端から基端まで全体が第１パネル１０に形成された凹溝１１内に収容されるように設けられている。
【００３６】
先端部分２１の前面２１ａは、幅方向に対して凹溝１１の前側内側面１１ａよりも急な傾斜角度で傾斜している。また、先端部分２１の後面２１ｂは、幅方向に対して凹溝１１の後側内側面１１ｂよりも急な傾斜角度で傾斜している。具体的には、先端部分２１の前面２１ａ後面２１ｂは、幅方向に対して４０〜６０度の角度で傾斜している。
【００３７】
傾斜部分２２は、先端部分２１の他端（右端）に連続する部分であり、幅方向において先端部分２１側の一端（左端）に近づく程前後方向の幅が狭くなる（厚さが薄くなる）先細り形状に形成されている。具体的には、傾斜部分２２は、幅方向において一端に近づく程前後方向の中央に近づくように幅方向に対して傾斜した前面２２ａ及び後面２２ｂを有し、先細り形状に形成されている。傾斜部分２２は、先端部分２１よりも幅方向（左右方向）の長さが長い。具体的には、傾斜部分２２は、先端部分２１の幅長さの２〜１５倍の幅長さに形成されている。
【００３８】
傾斜部分２２の前面２２ａ及び後面２２ｂは、それぞれ先端部分２１の前面２１ａ及び後面２１ｂよりも緩やかな傾斜角度で幅方向に対して傾斜している。また、傾斜部分２２の前面２２ａ及び後面２２ｂは、それぞれ凹溝１１の前側内側面１１ａ及び後側内側面１１ｂよりも緩やかな傾斜角度で幅方向に対して傾斜している。具体的には、傾斜部分２２の前面２２ａ後面２２ｂは、幅方向に対して１０〜２０度の角度で傾斜している。
【００３９】
また、傾斜部分２２は、先端部分２１に連続する一端（左端）の前後方向の長さ（厚さ）が、第１パネル１０及び第２パネル２０を連結する連結部材６の前後方向の長さ（幅）よりも大きくなるように形成されている。
【００４０】
本体部分２３は、傾斜部分２２の他端（右端）に連続する部分であり、扁平な形状に形成されている。つまり、本体部分２３は、幅方向に対して傾斜することなく幅方向に平行な前面２３ａ及び後面２３ｂを有している。
【００４１】
以上のように連続する先端部分２１と傾斜部分２２と本体部分２３とによって構成される第２パネル２０の第１パネル１０との対向端面（芯材２の左端面）には、幅方向において第１パネル１０とは反対側（右側）に凹む嵌合溝２４が形成されている。嵌合溝２４は、第２パネル２０の上端から下端に亘って延びている。嵌合溝２４は、矩形状の横断面を有している。
【００４２】
透光部材３０は、透明な樹脂材料によって形成された矩形状の板状部材である。透光部材３０は、上下方向の長さが、第１パネル１０及び第２パネル２０の上下方向の高さと略等しい長さに形成されている。透光部材３０は、第１パネル１０と第２パネル２０とに架け渡されている。具体的には、透光部材３０は、幅方向において第１パネル１０側の一端が、第１パネル１０の嵌合溝１２に挿入され、第２パネル２０側の他端が、第２パネル２０の嵌合溝２４に挿入された状態で、第１パネル１０及び第２パネル２０に接着剤７を介して固定されている。
【００４３】
−採光構造の作用−
次に、採光構造５の作用について説明する。以下では、一例として、採光構造５が、ドア１の後側から前側に光を透過させる場合について説明する。
【００４４】
ドア１の後側の空間で発せられた光は、ドア１の後面における第１パネル１０と第２パネル２０との間の開口８ｂから、第１パネル１０の凹溝１１の後側内側面１１ｂと第２パネル２０の先端部分２１及び傾斜部分２２の後面２１ｂ，２２ｂとの間に形成される後側透光路９ｂに進入する。後側透光路９ｂに進入した光は、透光部材３０の後面３０ｂから透光部材３０に入射する。透光部材３０に入射した光は、透光部材３０の内部で反射しながら前側へ進み、透光部材３０の前面３０ａから前方に出射し、第１パネル１０の凹溝１１の前側内側面１１ａと第２パネル２０の先端部分２１及び傾斜部分２２の前面２１ａ，２２ａとの間に形成される前側透光路９ａに進入する。前側透光路９ａに進入した光は、ドア１の前面における第１パネル１０と第２パネル２０との間の開口８ａからドア１の前側の空間に進む。
【００４５】
以上のようにして、採光構造５は、ドア１の後側から前側へ光を透過させる。このとき、ドア１を前側から見た人には、開口８ａの一端部が上端から下端に亘って線状に発光しているように見える。
【００４６】
−実施形態１の効果−
本実施形態１の採光構造５では、第２パネル２０に、第１パネル１０の凹溝１１に収容される先細り形状の先端部分２１に連続し、該先端部分２１の前後面２１ａ，２１ｂよりも幅方向に対して緩やかな傾斜角度で傾斜した前後面２２ａ，２２ｂを有して緩やかに先細る傾斜部分２２を設けることとしている。このように、第２パネル２０に先端部分２１よりも緩やかに先細る傾斜部分２２を設けることにより、第１及び第２パネル１０，２０の間を斜めから覗き込んでも、第２パネル２０の先端（先端部分２１の先端）が見え難くなり、第１及び第２パネル１０，２０に架け渡された透光部材３０が見え難くなる。よって、本実施形態１の採光構造５によれば、従来の採光構造よりも外観の意匠性を向上させることができる。
【００４７】
また、本実施形態１の採光構造５では、従来の採光構造のように、幅方向に対して急な傾斜角度で傾斜した前後面２１ａ，２１ｂを有する先端部分２１を第２パネル２０の扁平な本体部分２３に連続させるのではなく、幅方向に対して先端部分２１の前後面２１ａ，２１ｂよりも緩やかな傾斜角度で傾斜する前後面２２ａ，２２ｂを有する傾斜部分２２を先端部分２１に連続させることとしている。このように先端部分２１の他端に先細り形状の傾斜部分２２を設けることにより、先端部分２１全体を凹溝１１内に収容することが可能になり、先端部分２１と傾斜部分２２との角張った接続部分が正面から見えなくなる。従って、本実施形態１の採光構造５によれば、従来の採光構造のように、第２パネル２０の先端部分２１の角張った基端部分が見えず、幅方向に対して緩やかに傾斜する前後面２２ａ，２２ｂを有する傾斜部分２２によってドア１の前後面が段差のない平らな形状に見え、従来の採光構造よりも外観の意匠性を向上させることができる。
【００４８】
以上により、本実施形態１によれば、ドア１の美観を損なうことのない見栄えのよい採光構造５を提供することができる。
【００４９】
また、本実施形態１の採光構造５では、傾斜部分２２を先端部分２１よりも幅広に形成して光を取り込む開口８ａ，８ｂの幅を広くすることにより、効率よく光を取り込むができる。また、傾斜部分２２を幅広に形成することにより、傾斜部分２２の前後面２２ａ，２２ｂの幅方向に対する傾斜角度がより緩やかになるため、ドア１の前後面がより段差のない平らな形状に見える。つまり、本実施形態１の採光構造５によれば、外観の意匠性をより向上させることができる。
【００５０】
また、本実施形態１の採光構造５では、凹溝１１が溝底に近づく程溝幅が狭くなる先細り形状に形成され、傾斜部分２２の前後面２２ａ，２２ｂが、幅方向に対して凹溝１１の対応する内側面１１ａ，１１ｂよりも緩やかな傾斜角度で傾斜するように形成されている。従来の採光構造のように、傾斜部分２２の前後面２２ａ，２２ｂが凹溝１１の内側面１１ａ，１１ｂに平行な面で構成されていると、第１及び第２パネル１０，２０の間を斜めから覗き込んだ際に、凹溝１１の底部まで視線が通るが、上述のように傾斜部分２２の前後面２２ａ，２２ｂを、凹溝１１の内側面１１ａ，１１ｂよりも緩やかな傾斜角度で幅方向に対して傾斜させることにより、第１及び第２パネル１０，２０の間を斜めから覗き込んでも、凹溝１１内の傾斜部分２２の前後面２２ａ，２２ｂを凹溝１１の溝底側に延長させた延長面間の部分が見えなくなる。よって、第１及び第２パネル１０，２０に架け渡された透光部材３０がより見えなくなる。従って、本実施形態１の採光構造５によれば、外観の意匠性をより向上させることができる。
【００５１】
また、本実施形態１の採光構造５では、先端部分２１の前後面２１ａ，２１ｂが、幅方向に対して凹溝１１の対応する内側面１１ａ，１１ｂよりも急な傾斜角度で傾斜するように形成されている。このように先端部分２１の前後面２１ａ，２１ｂを、凹溝１１の内側面１１ａ，１１ｂよりも急な傾斜角度で幅方向に対して傾斜させることにより、先端部分２１の幅を凹溝１１の深さよりも短く形成することができる。よって、凹溝１１を従来よりも深くすることなく、凹溝１１内に透光部材３０の設置スペースを確保しつつ、先端部分２１全体が凹溝１１内に収容されるように第２パネル２０を配置することが可能になる。従って、本実施形態１の採光構造５によれば、凹溝１１を従来よりも深くすることなく、第２パネル２０の先端部分２１の角張った基端部分が見えない見栄えのよい採光構造５を提供することができる。
【００５２】
また、本実施形態１によれば、ドア１の美観を損なうことのない採光構造５を備えた見栄えのよいドア１を提供することができる。
【００５３】
また、本実施形態１によれば、傾斜部分２２は、先端部分２１に連続する一端（左端）の前後方向の長さ（厚さ）が、第１パネル１０及び第２パネル２０を連結する連結部材６の前後方向の長さ（幅）よりも大きくなるように形成されている。第２パネル２０をこのように構成することにより、第１及び第２パネル１０，２０の間を斜めから覗き込んでも、第１及び第２パネル１０，２０の上端面及び下端面を連結するように設けられた連結部材６が見えてしまうことがない。このような構成によっても見栄えのよい採光構造５及び見栄えのよいドア１を提供することができる。
【００５４】
《発明の実施形態２》
図３に示すように、実施形態２は、実施形態１の採光構造５の一部を変更したものである。以下では、実施形態１と異なる部分についてのみ詳細に説明し、実施形態１と同様の構成については、詳細な説明を省略する。
【００５５】
−実施形態１と異なる構成−
実施形態２においても、第１パネル１０及び第２パネル２０は、複数の角材を矩形枠状に組み立てた芯材２と、枠状の芯材２の外面を覆う化粧材３とを有している。実施形態２では、芯材２が、樹脂を射出成形することによって形成され、第１パネル１０及び第２パネル２０の左右側面及び上下端面が、化粧材３ではなく、芯材２の端面によって形成されている。実施形態２では、芯材２の前面及び後面には浅い溝が形成され、該溝に化粧材３が嵌め込まれて固定され、芯材２と化粧材３の前後面が面一になっている。
【００５６】
また、実施形態２では、凹溝１１の横断面形状が実施形態１と異なる。実施形態２では、凹溝１１は、実施形態１と同様に、幅方向において溝底に近づく程溝幅（前後方向の幅）が狭くなるように幅方向に対して傾斜した前側内側面１１ａ及び後側内側面１１ｂを有する一方、底部の形状が実施形態１と異なり、底部が湾曲面で構成されている。また、実施形態２では、実施形態１において凹溝１１の溝底部分に形成されていた嵌合溝１２が形成されていない。
【００５７】
実施形態２では、透光部材３０の形状が実施形態２と異なる。実施形態２では、透光部材３０は、幅方向において第１パネル１０側の一端面が凹溝１１の底部の湾曲面に沿う湾曲面で構成されている。また、透光部材３０は、幅方向の第１パネル１０側の一端部が実施形態１よりも前後方向の長さ（厚さ）が大きくなるように形成されると共に、幅方向の一端から他端に向かって前後方向の長さ（厚さ）が小さくなるように形成されている。透光部材３０は、幅方向において第１パネル１０側の一端が凹溝１１の底部に当接し、第２パネル２０側の他端が、第２パネル２０の嵌合溝２４に挿入された状態で、第１パネル１０及び第２パネル２０に接着剤（図示省略）を介して固定されている。
【００５８】
また、実施形態２では、透光部材３０の第２パネル２０の先端部分２１と第１パネル１０の凹溝１１の底部との間に設けられる肉厚の部分には、上下方向に延びる空洞３１が形成されている。空洞３１は、透光部材３０の上端から下端に亘って形成されている。
【００５９】
さらに、実施形態２では、透光部材３０は、芯材２と同様に、樹脂を射出成形することによって形成されている。
【００６０】
その他の構成は、実施形態１と同様である。
【００６１】
−実施形態２の効果−
実施形態２の採光構造５によっても、実施形態１の採光構造５と同様の効果を奏することができる。そして、実施形態２によっても、実施形態１と同様に、ドア１の美観を損なうことのない見栄えのよい採光構造５及びそのような採光構造５を備えた見栄えのよいドア１を提供することができる。
【００６２】
また、実施形態２では、透光部材３０の凹溝１１の溝底に近い厚肉部分に空洞３１が形成され、中空に形成されている。透光部材３０をこのように形成することにより、透光部材３０の材料を軽減することができるため、製造コストを低減することができる。また、透光部材３０に形成された空洞３１により、透光部材３０を透過する光が集束、拡散され、効率よく光を透過させることができる。
【００６３】
さらに、実施形態２によれば、樹脂を射出成形することによって芯材２と透光部材３０とを形成することとした。そのため、効率よく光を透過させるために芯材２及び透光部材３０を複雑な形状にしても容易に形成することができる。
【００６４】
《その他の実施形態》
上記実施形態１，２では、本発明に係る建具の一例として、採光構造５を備えたドア１について説明した。しかしながら、本発明に係る建具は、ドア１に限られない。本発明に係る採光構造５は、引戸や吊戸に適用してもよい。つまり、本発明に係る建具は、引戸や吊戸であってもよい。
【００６５】
また、上記本実施形態１，２では、第２パネル２０が、先端部分２１と先端部分２１に連続する傾斜部分２２とを有し、平面視において幅方向の一端に向かって２段階に先細る形状に形成されていた。しかしながら、本発明に係る採光構造５は、第２パネル２０が、先端部分２１と傾斜部分２２とを有するものであればよく、傾斜部分２２と本体部分２３との間に、傾斜部分２２の前後面２２ａ，２２ｂよりも緩やかな傾斜角度で幅方向に対して傾斜する先細り形状の第２傾斜部分を有し、３段階に先細る形状に形成されていてもよい。
【００６６】
また、透光部材３０の形状は、実施形態１，２の形状に限られない。透光部材３０は、第１及び第２パネル１０，２０の間を斜めから覗き込んでも、見えない程度であれば、実施形態１，２の透光部材３０よりも分厚く形成されていてもよい。
【００６７】
また、上記実施形態１，２では、本発明に係る採光構造を構成する２つのパネル体が、ドア（建具）１を構成する第１パネル１０及び第２パネル２０で構成されていたが、本発明に係る採光構造を構成する２つのパネル体は、ドア（建具）１の一部を構成するものであってもよい。
【産業上の利用可能性】
【００６８】
本発明は、建具の採光構造及び採光構造を備えた建具に有用である。
【符号の説明】
【００６９】
１      ドア（建具）
５      採光構造
１０      第１パネル（第１パネル体）
１１      凹溝
１１ａ    前側内側面
１１ｂ    後側内側面
２０      第２パネル（第２パネル体）
２１      先端部分
２１ａ    前面
２１ｂ    後面
２２      傾斜部分
２２ａ    前面
２２ｂ    後面
３０      透光部材
３１      空洞
【要約】
【課題】建具の美観を損なわない見栄えのよい採光構造及び採光構造を備えた見栄えのよい建具を提供する。
【解決手段】採光構造５は、第１及び第２パネル１０，２０と透光部材３０とを備えている。第１パネル１０の第２パネル２０との対向面には、上端から下端に亘る凹溝１１が形成されている。第２パネル２０は、幅方向において第１パネル１０に対向する一端に近づく程前後方向の中央に近づくように幅方向に対して傾斜した前後面２１ａ，２１ｂを有し、凹溝１１内に収容される先端部分２１と、先端部分２１の他端に連続し、幅方向において先端部分２１の他端に連続する一端に近づく程前後方向の中央に近づくように幅方向に対して先端部分２１の前後面２１ａ，２１ｂよりも緩やかな傾斜角度で傾斜した前後面２２ａ，２２ｂを有する傾斜部分２２とを有している。
【選択図】図２【図１】
0006963077.tif 000002
【図２】
0006963077.tif 000003
【図３】
0006963077.tif 000004